(57)【要約】  幼児座席に座った幼児がいたずらでロック用操作具を操作するのを防ぐことができて、幼児に装着したシートベルトが巻取用回転体から不測に繰り出すのをより確実に防止できるシートベルト巻取装置を提供する。  巻取用回転体（３０）と回転ロック機構（３７）とを有し、回転ロック機構（３７）をロック状態とアンロック状態に切り換えるロック用操作具（４０）が設けられたシートベルト巻取装置であって、回転ロック機構（３７）のアンロック状態への切り換えを阻止する阻止機構（３８）が設けられ、阻止機構（３８）は、回転ロック機構（３７）のアンロック状態への切り換えを阻止する阻止状態と、回転ロック機構（３７）のアンロック状態への切り換えを許容する許容状態とに切り換え可能とされ、阻止機構（３８）を阻止状態と許容状態とに切り換える阻止用操作具（４１）が設けられている。
2015125257.tif 000002
【特許請求の範囲】
【請求項１】
幼児を幼児座席に拘束するためのシートベルト（１７）を繰り出し自在に巻き取る巻取用回転体（３０）と、巻取用回転体（３０）の回転を不能にする回転ロック機構（３７）とを有し、巻取用回転体（３０）は巻取バネ（３４）によりシートベルト（１７）の巻き取り方向に付勢され、回転ロック機構（３７）は、巻取用回転体（３０）の回転を不能にするロック状態と巻取用回転体（３０）の回転を許容するアンロック状態とに切り換え可能とされ、回転ロック機構（３７）をロック状態とアンロック状態に切り換えるロック用操作具（４０）が設けられたシートベルト巻取装置であって、
回転ロック機構（３７）のアンロック状態への切り換えを阻止する阻止機構（３８）が設けられ、阻止機構（３８）は、回転ロック機構（３７）のアンロック状態への切り換えを阻止する阻止状態と、回転ロック機構（３７）のアンロック状態への切り換えを許容する許容状態とに切り換え可能とされ、阻止機構（３８）を阻止状態と許容状態とに切り換える阻止用操作具（４１）が設けられていることを特徴とするシートベルト巻取装置。
【請求項２】
前記回転ロック機構（３７）は、巻取用回転体（３０）に設けたロック用歯車（４３）と、巻取用回転体（３０）の回転を不能にすべくロック用歯車（４３）に係脱自在に係合するロック爪（４４）と、ロック爪（４４）をロック用歯車（４３）に係合した状態にロックするロック部材（４５）とを有し、ロック部材（４５）が、ロック爪（４４）をロック用歯車（４３）に係合した状態にロックするロック状態（Ｘ）と、ロック爪（４４）をロック用歯車（４３）から離間させるアンロック状態（Ｙ）とに変更自在とされ、
前記阻止機構（３８）は、ロック部材（４５）のロック状態（Ｘ）からアンロック状態（Ｙ）への変更を阻止する阻止部材（６８）を有し、この阻止部材（６８）は、ロック部材（４５）のアンロック状態（Ｙ）への変更を阻止する阻止位置（Ａ）と、ロック部材（４５）のアンロック状態（Ｙ）への変更を許容する許容位置（Ｂ）とに移動自在に支持され、
阻止部材（６８）を阻止位置（Ａ）に付勢する阻止バネ（７７）が設けられ、阻止用操作具（４１）は押圧操作によって阻止部材（６８）を阻止バネ（７７）の付勢に抗して許容位置（Ｂ）に移動させるように構成されていることを特徴とする請求項１に記載のシートベルト巻取装置。
【請求項３】
ロック部材（４５）は、ロック姿勢（Ｘ１）とアンロック姿勢（Ｙ１）とに回動自在に支持されると共に、ロック用歯車（４３）に接近する接近位置（Ｘ２）とロック用歯車（４３）から離間する離間位置（Ｙ２）とに移動自在に支持されており、接近位置（Ｘ２）でロック姿勢（Ｘ１）に回動したときに前記ロック状態（Ｘ）にセットされ、アンロック姿勢（Ｙ１）で離間位置（Ｙ２）に移動したときに前記アンロック状態（Ｙ）にセットされるように構成されていることを特徴とする請求項２に記載のシートベルト巻取装置。
【請求項４】
ロック部材（４５）の両側に、ロック部材（４５）をロック状態（Ｘ）にセットしたときに、ロック部材（４５）を離間位置（Ｙ２）に移動不能に規制するようにロック部材（４５）の長手方向両端部を係合する一対の係止部（６３）が設けられ、一対の係止部（６３）間に、ロック部材（４５）をアンロック状態（Ｙ）にセットしたときに、ロック部材（４５）をロック姿勢（Ｘ１）に回動不能に規制するように保持する保持凹部（６４）が設けられていることを特徴とする請求項３に記載のシートベルト巻取装置。
【請求項５】
阻止部材（６８）はロック部材（４５）の近傍に配置されており、阻止部材（６８）が阻止位置（Ａ）にあるときにロック状態（Ｘ）にあるロック部材（４５）と対応して、このロック部材（４５）がロック姿勢（Ｘ１）からアンロック姿勢（Ｙ１）に回動するのを阻止し、阻止部材（６８）が許容位置（Ｂ）にあるときにロック状態（Ｘ）にあるロック部材（４５）から外れて、このロック部材（４５）がロック姿勢（Ｘ１）からアンロック姿勢（Ｙ１）に回動するのを許容するように構成されていることを特徴とする請求項４に記載のシートベルト巻取装置。
【請求項６】
ロック爪（４４）はロック部材（４５）とロック用歯車（４３）との間に配置されると共に、ロック部材（４５）に連動してロック用歯車（４３）に接離するようにロック部材（４５）に連結され、ロック用操作具（４０）は、ロック部材（４５）をロック姿勢（Ｘ１）とアンロック姿勢（Ｙ１）とに回動操作可能となりかつ接近位置（Ｘ２）と離間位置（Ｙ２）とに移動操作可能になるようにロック部材（４５）に連結されていることを特徴とする請求項３〜５のいずれかに記載のシートベルト巻取装置。
【請求項７】
ロック部材（４５）をロック用歯車（４３）から離間する方向に付勢するロック解除バネ（６６）が設けられていることを特徴とする請求項３〜５のいずれかに記載のシートベルト巻取装置。
【請求項８】
巻取ケース（２９）が具備されており、巻取ケース（２９）内に巻取用回転体（３０）が回転自在に収納されると共に、前記ロック爪（４４）を有する爪構成部材（４７）がロック用歯車（４３）に向けて移動自在に保持され、巻取ケース（２９）に前記一対の係止部（６３）と保持凹部（６４）とが形成されていることを特徴とする請求項４又は５に記載のシートベルト巻取装置。
【請求項９】
ロック用操作具（４０）は巻取ケース（２９）の外面側に配置され、阻止用操作具（４１）は阻止部材（６８）に突設されていて、阻止部材（６８）が阻止位置（Ａ）と許容位置（Ｂ）とに移動自在になるように巻取ケース（２９）に外方突出状に挿通され、この阻止用操作具（４１）の外方突出部が押圧ボタン（４１ａ）とされていることを特徴とする請求項８に記載のシートベルト巻取装置。
【請求項１０】
前記シートベルト（１７）は、巻取用回転体（３０）に巻き取られる基端側に１本の基部ベルト体（１９）を有すると共に、先端側に基部ベルト体（１９）から二股状に分かれた２本の分岐ベルト体（２０）を有していることを特徴とする請求項１〜５のいずれかに記載のシートベルト巻取装置。
【発明の詳細な説明】
【技術分野】
【０００１】
本発明は、幼児を幼児座席に拘束するためのシートベルトを繰り出し自在に巻き取るシートベルト巻取装置に関するものである。
【背景技術】
【０００２】
自転車に取り付けられる自転車用幼児座席や自動車の座席に取り付けられるチャイルドシート等の幼児座席に装着されるシートベルト巻取装置には、幼児を幼児座席に拘束するためのシートベルトを繰り出し自在に巻き取る巻取用回転体を有し、この巻取用回転体を巻取バネによりシートベルトの巻き取り方向に付勢し、シートベルトを邪魔にならないように繰り出し自在に巻き取るようにしたものがある。【０００３】
この種の従来のシートベルト巻取装置には、巻取用回転体の回転を不能にする回転ロック機構と、回転ロック機構をロック状態とアンロック状態とに切り換えるロック用操作具とを具備し、ロック用操作具を回動操作して回転ロック機構をロック状態にしておくことにより、幼児座席に座った幼児がいたずらでシートベルトを長く繰り出すことができなくして、幼児に対してシートベルトの良好な装着状態を保持することができるようにしたものがある（例えば特許文献１）。
【先行技術文献】
【特許文献】
【０００４】
【特許文献１】特開２０１０−２５４０９５号公報
【発明の概要】
【発明が解決しようとする課題】
【０００５】
しかし、従来の場合、幼児座席に座った幼児がいたずらでロック用操作具を回動操作等することにより、回転ロック機構がアンロック状態に切り換わり、幼児に装着したシートベルトが巻取用回転体から不測に繰り出してしまうおそれがあった。
本発明は上記問題点に鑑み、幼児座席に座った幼児がいたずらでロック用操作具を操作するのを防ぐことができて、幼児に装着したシートベルトが巻取用回転体から不測に繰り出すのをより確実に防止できるシートベルト巻取装置を提供することを目的としている。
【課題を解決するための手段】
【０００６】
本発明における課題解決のための具体的手段は、次の通りである。
この技術的課題を解決する本発明の技術的手段は、幼児を幼児座席に拘束するためのシートベルト１７を繰り出し自在に巻き取る巻取用回転体３０と、巻取用回転体３０の回転を不能にする回転ロック機構３７とを有し、巻取用回転体３０は巻取バネ３４によりシートベルト１７の巻き取り方向に付勢され、回転ロック機構３７は、巻取用回転体３０の回転を不能にするロック状態と巻取用回転体３０の回転を許容するアンロック状態とに切り換え可能とされ、回転ロック機構３７をロック状態とアンロック状態に切り換えるロック用操作具４０が設けられたシートベルト巻取装置であって、
回転ロック機構３７のアンロック状態への切り換えを阻止する阻止機構３８が設けられ、阻止機構３８は、回転ロック機構３７のアンロック状態への切り換えを阻止する阻止状態と、回転ロック機構３７のアンロック状態への切り換えを許容する許容状態とに切り換え可能とされ、阻止機構３８を阻止状態と許容状態とに切り換える阻止用操作具４１が設けられている点にある。【０００７】
また、本発明の他の技術的手段は、前記回転ロック機構３７は、巻取用回転体３０に設けたロック用歯車４３と、巻取用回転体３０の回転を不能にすべくロック用歯車４３に係脱自在に係合するロック爪４４と、ロック爪４４をロック用歯車４３に係合した状態にロックするロック部材４５とを有し、ロック部材４５が、ロック爪４４をロック用歯車４３に係合した状態にロックするロック状態Ｘと、ロック爪４４をロック用歯車４３から離間させるアンロック状態Ｙとに変更自在とされ、
前記阻止機構３８は、ロック部材４５のロック状態Ｘからアンロック状態Ｙへの変更を阻止する阻止部材６８を有し、この阻止部材６８は、ロック部材４５のアンロック状態Ｙへの変更を阻止する阻止位置Ａと、ロック部材４５のアンロック状態Ｙへの変更を許容する許容位置Ｂとに移動自在に支持され、
阻止部材６８を阻止位置Ａに付勢する阻止バネ７７が設けられ、阻止用操作具４１は押圧操作によって阻止部材６８を阻止バネ７７の付勢に抗して許容位置Ｂに移動させるように構成されている点にある。【０００８】
また、本発明の他の技術的手段は、ロック部材４５は、ロック姿勢Ｘ１とアンロック姿勢Ｙ１とに回動自在に支持されると共に、ロック用歯車４３に接近する接近位置Ｘ２とロック用歯車４３から離間する離間位置Ｙ２とに移動自在に支持されており、接近位置Ｘ２でロック姿勢Ｘ１に回動したときに前記ロック状態Ｘにセットされ、アンロック姿勢Ｙ１で離間位置Ｙ２に移動したときに前記アンロック状態Ｙにセットされるように構成されている点にある。【０００９】
また、本発明の他の技術的手段は、ロック部材４５の両側に、ロック部材４５をロック状態Ｘにセットしたときに、ロック部材４５を離間位置Ｙ２に移動不能に規制するようにロック部材４５の長手方向両端部を係合する一対の係止部６３が設けられ、一対の係止部６３間に、ロック部材４５をアンロック状態Ｙにセットしたときに、ロック部材４５をロック姿勢Ｘ１に回動不能に規制するように保持する保持凹部６４が設けられている点にある。【００１０】
また、本発明の他の技術的手段は、阻止部材６８はロック部材４５の近傍に配置されており、阻止部材６８が阻止位置Ａにあるときにロック状態Ｘにあるロック部材４５と対応して、このロック部材４５がロック姿勢Ｘ１からアンロック姿勢Ｙ１に回動するのを阻止し、阻止部材６８が許容位置Ｂにあるときにロック状態Ｘにあるロック部材４５から外れて、このロック部材４５がロック姿勢Ｘ１からアンロック姿勢Ｙ１に回動するのを許容するように構成されている点にある。【００１１】
また、本発明の他の技術的手段は、ロック爪４４はロック部材４５とロック用歯車４３との間に配置されると共に、ロック部材４５に連動してロック用歯車４３に接離するようにロック部材４５に連結され、ロック用操作具４０は、ロック部材４５をロック姿勢Ｘ１とアンロック姿勢Ｙ１とに回動操作可能となりかつ接近位置Ｘ２と離間位置Ｙ２とに移動操作可能になるようにロック部材４５に連結されている点にある。【００１２】
また、本発明の他の技術的手段は、ロック部材４５をロック用歯車４３から離間する方向に付勢するロック解除バネ６６が設けられている点にある。
また、本発明の他の技術的手段は、巻取ケース２９が具備されており、巻取ケース２９内に巻取用回転体３０が回転自在に収納されると共に、前記ロック爪４４を有する爪構成部材４７がロック用歯車４３に向けて移動自在に保持され、巻取ケース２９に前記一対の係止部６３と保持凹部６４とが形成されている点にある。【００１３】
また、本発明の他の技術的手段は、ロック用操作具４０は巻取ケース２９の外面側に配置され、阻止用操作具４１は阻止部材６８に突設されていて、阻止部材６８が阻止位置Ａと許容位置Ｂとに移動自在になるように巻取ケース２９に外方突出状に挿通され、この阻止用操作具４１の外方突出部が押圧ボタン４１ａとされている点にある。
また、本発明の他の技術的手段は、前記シートベルト１７は、巻取用回転体３０に巻き取られる基端側に１本の基部ベルト体１９を有すると共に、先端側に基部ベルト体１９から二股状に分かれた２本の分岐ベルト体２０を有している点にある。
【発明の効果】
【００１４】
本発明によれば、阻止機構を阻止状態にしておけば、ロック用操作具の操作で回転ロック機構をアンロック状態に切り換えることができなくなる。従って、幼児座席に座った幼児がいたずらでロック用操作具を操作することによって回転ロック機構がアンロック状態に切り換わるのを防ぐことができ、幼児に装着したシートベルトが巻取用回転体から不測に繰り出すのをより確実に防止し得る。
【図面の簡単な説明】
【００１５】
【図１】本発明の一実施形態を示し、一方のケース体を取り外した状態におけるロック状態のシートベルト巻取装置の側面図であって一部に断面を有する側面図である。
【図２】同ロック状態のシートベルト巻取装置の正面断面図である。
【図３】同一方のケース体を取り外した状態におけるアンロック状態のシートベルト巻取装置の側面図であって一部に断面を有する側面図である。
【図４】同アンロック状態のシートベルト巻取装置の正面断面図である。
【図５】同シートベルト巻取装置の平面図である。
【図６】同シートベルトを繰り出した状態のシートベルト巻取装置の側面図である。
【図７】同シートベルト巻取装置を装着した自転車用幼児座席の側面図である。
【図８】同シートベルト巻取装置を装着した座席本体の平面図である。
【図９】同シートベルト巻取装置を装着した座席本体の側面断面図である。
【発明を実施するための形態】
【００１６】
以下、本発明の実施の形態を図面に基づいて説明する。
図１〜図９は本発明の一実施形態を示している。図７〜図９において、自転車用子供座席１は、左右一対の本体側壁２と座部３とを有する座席本体４と、左右一対の背凭れ側壁７と背凭れ部５とを有する背凭れ体６とを別体に備え、背凭れ体６の上部側が座席本体４に対して左右方向の支軸１１廻りに揺動自在に支持され、左右の本体側壁２と左右の背凭れ側壁７とで自転車用子供座席１の左右の座席側壁を構成している。
【００１７】
背凭れ体６の背凭れ部５にヘッドレスト８が高さ調整自在に設けられ、座席本体４にステップ９が横軸１０廻りに揺動可能に設けられている。自転車用子供座席１は、自転車のハンドルバー１２に着脱自在に装着され、ここに幼児を座らせることができると共に荷駕籠にもなるように構成されている。
座席本体４、背凭れ体６、ヘッドレスト８、ステップ９はそれぞれ合成樹脂で一体成形されている。
【００１８】
座部３の前部中央の仕切り壁１４に下方に没入した収納凹部１５が設けられ、この収納凹部１５にシートベルト１７を繰り出し自在に巻き取るシートベルト巻取装置１８が着脱可能に収納保持されている。
シートベルト１７は幼児を幼児座席に拘束するためのもので、図６に示すように、その基端側（巻き取り端部側）に１本の基部ベルト体１９を有すると共に、先端側には基部ベルト体１９から二股状に分岐した２本の分岐ベルト体２０を有してなる。
【００１９】
２本の分岐ベルト体２０の先端部に連結具２２が連結され、連結具２２のやや基部側に分岐ベルト体２０を長さ調整するための長さ調整具２３が取り付けられている。分岐ベルト体２０の連結具２２は、ヘッドレスト８の左右両側に突設した被連結具２５に着脱自在に連結されるようになっている。
なお、分岐ベルト体２０の連結具２２は例えば雄部材で構成され、ヘッドレスト８の被連結具２５は例えば雄部材がワンタッチで着脱自在に連結される雌部材で構成されている。
【００２０】
図１〜図５において、シートベルト巻取装置１８は巻取ケース２９とシートベルト１７を繰り出し自在に巻き取る巻取用回転体３０とを有し、巻取ケース２９は左右一対のケース体２９ａ，２９ｂをボルトナット等の締結具３１で互いに締結して成る。巻取用回転体３０は左右のギアドラム３０ａとギヤプレート３０ｂとを組み合わせてボルトナット等の締結具３２で互いに締結してなり、巻取ケース２９内に横軸３３廻りに回転自在に収納され、巻取ケース２９（巻取用回転体３０）内に収納した巻取バネ３４によりシートベルト１７を巻き取る方向に回転自在に付勢されている。
【００２１】
巻取ケース２９の後側上部に取出口３５が設けられており、巻取ケース２９内に巻き取ったシートベルト１７を取出口３５から巻取ケース２９後方に繰り出すことができるようになっている。
巻取ケース２９内に、巻取用回転体３０の回転を不能にする回転ロック機構３７と、回転ロック機構３７のアンロック状態への切り換えを阻止する阻止機構３８とが設けられている。後述するように、回転ロック機構３７は、巻取用回転体３０の回転を不能にするロック状態と巻取用回転体３０の回転を許容するアンロック状態とに切り換え可能とされ、阻止機構３８は、回転ロック機構３７のアンロック状態への切り換えを阻止する阻止状態と、回転ロック機構３７のアンロック状態への切り換えを許容する許容状態とに切り換え可能とされている。
【００２２】
巻取ケース２９の外側に、回転ロック機構３７をロック状態とアンロック状態に切り換えるロック用操作具４０が設けられ、阻止機構３８を阻止状態と許容状態とに切り換える阻止用操作具４１が巻取ケース２９内から外方突出するように設けられている。
回転ロック機構３７は巻取用回転体３０に設けた左右一対のロック用歯車４３とロック用歯車４３に係脱自在に係合する左右一対のロック爪４４とロック爪４４をロック用歯車４３に係合した状態にロックするロック部材４５とを有し、巻取ケース２９内に、前記ロック爪４４を左右一対有する爪構成部材４７がロック用歯車４３に向けて移動自在に保持され、回転ロック機構３７はロック爪４４がロック用歯車４３に係合することによって巻取用回転体３０の回転を不能にするように構成されている。
【００２３】
なお、ロック爪４４はロック用歯車４３の連続する３つの歯の間に係合する２つの係合突起を一体に有してなる。
ロック用操作具４０は巻取ケース２９の上壁の外面側に配置されている。ロック部材４５は長方形の厚板状に形成され、ロック部材４５の中央部に円筒状の支持軸４９と係合突部５０とが上下に突設されており、支持軸４９は上端部に角筒状の嵌合部４９ａを有しており、巻取ケース２９の上壁に形成した貫通孔５２を有する支持筒５３に上下移動自在でかつ支持軸４９廻りに回動自在に挿通されて、ロック用操作具４０の下面側に嵌合部４９ａを介して嵌合されボルト等の締結具５５で締め付け固定されている。
【００２４】
而して、ロック部材４５は、支持軸４９廻りに回動自在でかつロック用歯車４３に接離する上下方向に移動自在であって、巻取ケース２９内で長手方向が左右方向を向くロック姿勢Ｘ１と長手方向が前後方向を向くアンロック姿勢Ｙ１とに支持軸４９廻りに回動自在に支持されると共に、ロック用歯車４３に接近する接近位置Ｘ２とロック用歯車４３から離間する離間位置Ｙ２とに上下移動自在に支持されている。
【００２５】
また、ロック用操作具４０は、ロック部材４５をロック姿勢Ｘ１とアンロック姿勢Ｙ１とに回動操作可能となりかつ接近位置Ｘ２と離間位置Ｙ２とに移動操作可能になるようにロック部材４５に連結されている。従って、ロック用操作具４０によってロック部材４５を後述するロック状態Ｘとアンロック状態Ｙとに変更操作可能になっている。
係合突部５０は爪構成部材４７の中央部に軸心廻りに相対回転自在に挿通されて抜け止めするように係合され、これによりロック爪４４（爪構成部材４７）はロック部材４５とロック用歯車４３との間に配置されると共に、ロック部材４５に連動してロック用歯車４３に接離するようにロック部材４５に連結されている。
【００２６】
ロック部材４５の左右両側に、巻取ケース２９に形成した左右一対の係止部６３が設けられ、一対の係止部６３間に、巻取ケース２９に形成した保持凹部６４が設けられており、ロック部材４５を接近位置Ｘ２に移動してロック姿勢Ｘ１に回動したときに（ロック状態Ｘにセットしたときに）、係止部６３にロック部材４５の長手方向両端部が下側から係合し、これにより、ロック部材４５を接近位置Ｘ２に保持して離間位置Ｙ２に移動不能に規制するようになっている。
【００２７】
また、ロック部材４５をアンロック姿勢Ｙ１に回動して離間位置Ｙ２に移動したときに（アンロック状態Ｙにセットしたときに）、保持凹部６４にロック部材４５を嵌合保持し、これにより、ロック部材４５をアンロック姿勢Ｙ１に保持してロック姿勢Ｘ１に回動不能に規制するようになっている。
而して、ロック部材４５は、巻取ケース２９内で、ロック爪４４をロック用歯車４３に係合した状態にロックするロック状態Ｘと、ロック爪４４をロック用歯車４３から離間させるアンロック状態Ｙとに変更自在に支持されており、接近位置Ｘ２でロック姿勢Ｘ１に回動したときにロック状態Ｘにセットされ、アンロック姿勢Ｙ１で離間位置Ｙ２に移動したときにアンロック状態Ｙにセットされるように構成されている。
【００２８】
また、ロック部材４５がロック状態Ｘにセットされると、ロック部材４５はロック姿勢Ｘ１に回動されかつ接近位置Ｘ２に移動した状態になり、このロック状態Ｘから回動によってロック姿勢Ｘ１に回動することは可能であるが、離間位置Ｙ２に移動することは不能になる。
また、ロック部材４５はアンロック状態Ｙにセットされると、ロック部材４５はアンロック姿勢Ｙ１に回動されかつ離間位置Ｙ２に移動した状態になり、このアンロック状態Ｙから移動によって接近位置Ｘ２に移動することは可能であるが、ロック姿勢Ｘ１に回動することは不能になる。
【００２９】
従って、ロック部材４５をアンロック状態Ｙからロック状態Ｘに変更するには、まず、ロック部材４５をアンロック状態Ｙから下方移動によって接近位置Ｘ２に移動した後に、回動によってロック姿勢Ｘ１に姿勢変更する必要がある。また、ロック部材４５をロック状態Ｘからアンロック状態Ｙに変更するには、まず、ロック部材４５をロック状態Ｘから回動によってアンロック姿勢Ｙ１に姿勢変更した後に、上方移動によって離間位置Ｙ２に移動する必要がある。
【００３０】
左右の係止部６３の左右内端部に左右方向外方に向かうに従って徐々に下降するように傾斜した傾斜面６３ａが形成されている。これにより、ロック部材４５をアンロック状態Ｙからロック状態Ｘに変更する際に、ロック用操作具４０でロック部材４５を下方に押圧しながら回動することにより、ロック部材４５が傾斜面６３ａを摺動することによりスムーズにアンロック状態Ｙからロック状態Ｘに移動させることができるようになっている。
【００３１】
巻取ケース２９とロック用操作具４０との間にロック解除バネ６６が設けられている。ロック解除バネ６６は支持軸４９に外嵌されて、巻取ケース２９の上壁とロック用操作具４０との間に配置されており、ロック部材４５をロック用操作具４０を介してロック用歯車４３から離間する方向に付勢している。
前記阻止機構３８は、ロック部材４５のロック状態Ｘからアンロック状態Ｙへの変更を阻止する阻止部材６８を有している。阻止部材６８は長方形の厚板状に形成され、巻取ケース２９内におけるロック部材４５の近傍の側方に水平状に配置されている。
【００３２】
阻止用操作具４１は三角形の柱状に形成され、阻止部材６８に上方突設されている。阻止用操作具４１は巻取ケース２９の上壁に形成した三角形の挿通孔７０に上方突出状に挿通されて、阻止用操作具４１乃至阻止部材６８が巻取ケース２９の上壁に上下移動自在に支持されている。
阻止用操作具４１の上下方向の中途部外周に環状ストッパー７２が突設されており、環状ストッパー７２が巻取ケース２９の上壁に接当することにより、阻止用操作具４１乃至阻止部材６８の上方移動が規制され、このとき阻止部材６８がロック状態Ｘにあるロック部材４５と同一の高さ位置（阻止位置Ａ）になる。従って、阻止部材６８が阻止位置Ａにあるときにロック状態Ｘにあるロック部材４５と対応して、このロック部材４５がロック姿勢Ｘ１からアンロック姿勢Ｙ１に回動するのを阻止するようになっている。
【００３３】
また、阻止用操作具４１の上部は巻取ケース２９の上壁から上方突出されて押圧ボタン４１ａとされ、この押圧ボタン４１ａを押圧操作することにより、阻止部材６８が阻止位置Ａから下方（許容位置Ｂ）に移動する。従って、阻止部材６８が許容位置Ｂにあるときにロック状態Ｘにあるロック部材４５から外れて、このロック部材４５がロック姿勢Ｘ１からアンロック姿勢Ｙ１に回動するのを許容するようになっている。
【００３４】
而して、阻止部材６８は、巻取ケース２９内で、ロック部材４５のアンロック状態Ｙへの移動を阻止する阻止位置Ａと、ロック部材４５のアンロック状態Ｙへの移動を許容する許容位置Ｂとに移動自在に支持されている。
巻取ケース２９の阻止部材６８の下方に、バネ受け台７５が突設されており、バネ受け台７５と阻止部材６８との間に阻止バネ７７が配置され、阻止バネ７７は阻止部材６８を阻止位置Ａ（上方）に付勢している。従って、阻止用操作具４１は押圧操作によって阻止部材６８を阻止バネ７７の付勢に抗して阻止位置Ａから許容位置Ｂに移動できるように構成されている。
【００３５】
而して、通常状態では阻止部材６８は阻止バネ７７の付勢によって阻止位置Ａにあり、ロック状態Ｘにあるロック部材４５をアンロック状態Ｙに移動することが阻止され、阻止用操作具４１を押圧操作して、阻止部材６８を阻止バネ７７の付勢に抗して許容位置Ｂに移動させることによって、ロック状態Ｘにあるロック部材４５をアンロック状態Ｙに変更することが可能になる。
【００３６】
そして、阻止部材６８を許容位置Ｂに移動させた後に、ロック用操作具４０でロック状態Ｘにあるロック部材４５をロック姿勢Ｘ１からアンロック姿勢Ｙ１に回動すると、ロック解除バネ６６の付勢によってロック部材４５が離間位置Ｙ２に移動して保持凹部６４内に保持され、ロック爪４４乃至爪構成部材４７がロック用歯車４３側から上方に後退し、ロック部材４５がアンロック状態Ｙになる。その結果、回転ロック機構３７によるロックが解除され、回転ロック機構３７がアンロック状態に切り換わり、巻取用回転体３０を巻取バネ３４の付勢により巻き取り方向に自動的に回転させるようになるのである。
【００３７】
上記実施形態によれば、回転ロック機構３７がロック状態のときに、シートベルト巻取装置１８に巻き取られたシートベルト１７を繰り出す場合、阻止用操作具４１の押圧ボタン４１ａを押圧操作して、阻止部材６８を阻止位置Ａから許容位置Ｂに移動した後に、ロック用操作具４０を回動操作してロック状態Ｘのロック部材４５をロック姿勢Ｘ１からアンロック姿勢Ｙ１に回動する。その後、ロック用操作具４０を離すと、ロック部材４５はロック解除バネ６６の付勢によって接近位置Ｘ２から離間位置Ｙ２に上方移動し、保持凹部６４内に保持され、ロック部材４５がアンロック状態Ｙになる。これにより、ロック爪４４乃至爪構成部材４７がロック用歯車４３側から上方に後退し、回転ロック機構３７によるロックが解除され、回転ロック機構３７がアンロック状態に切り換わる。
【００３８】
その後、シートベルト１７を後側に引っ張ればよく、シートベルト１７をシートベルト巻取装置１８から簡単に繰り出すことができる。
また、回転ロック機構３７がロック状態のときに、シートベルト巻取装置１８から繰り出されたシートベルト１７を巻き取る場合、同様に、阻止用操作具４１の押圧ボタン４１ａを押圧操作して、阻止部材６８を阻止位置Ａから許容位置Ｂに移動した後に、ロック用操作具４０を回動操作してロック状態Ｘのロック部材４５をアンロック姿勢Ｙ１に回動すればよく、巻取用回転体３０を巻取バネ３４の付勢により巻き取り方向に自動的に回転させて、シートベルト１７をシートベルト巻取装置１８に簡単に巻き取ることができる。
【００３９】
また、シートベルト１７を幼児に装着する場合は、幼児が幼児座席に座った後にシートベルト巻取装置１８からシートベルト１７を繰り出して２本の分岐ベルト体２０の連結具２２をそれぞれヘッドレスト８の被連結具２５に連結すればよく、シートベルト１７を幼児に簡単に装着することができる。
そして、その後、シートベルト１７を長く繰り出すことができないように回転ロック機構３７をロック状態Ｘに切り換えるには、アンロック状態Ｙのロック用操作具４０を下方に押圧しながら回動操作すれば、ロック部材４５が傾斜面６３ａを摺動することにより、ロック部材４５が下方移動によって接近位置Ｘ２に移動しながら回動によってロック姿勢Ｘ１に変更してスムーズにアンロック状態Ｙからロック状態Ｘになり、係止部６３にロック部材４５の長手方向両端部が下側から係合して、ロック部材４５を離間位置Ｙ２に移動不能（接近位置Ｘ２）に規制する。その結果、ロック爪４４がロック用歯車４３に係合した状態で爪構成部材４７がロック用歯車４３側にロックされ、シートベルト１７は繰り出し不能になる。
【００４０】
このとき、ロック用操作具４０の押圧を解除すれば、阻止部材６８は阻止バネ７７の付勢によって阻止位置Ａに移動し、ロック部材４５のアンロック状態Ｙへの変更を阻止するので、ロック用操作具４０の回動操作で回転ロック機構３７をアンロック状態に切り換えることができなくなる。従って、幼児座席に座った幼児がいたずらでロック用操作具４０を操作することによって回転ロック機構３７がアンロック状態に切り換わるのを未然に防ぐことができ、幼児に装着したシートベルト１７が巻取用回転体３０から不測に繰り出すのをより確実に防止し得る。
【００４１】
また、本実施形態では、通常時は阻止バネ７７の付勢によって阻止部材６８を阻止位置Ａに移動させおくことができるので、阻止部材６８によって、ロック部材４５のロック状態Ｘからアンロック状態Ｙへの変更を確実に阻止でき、幼児がいたずらでロック用操作具４０を操作することによって回転ロック機構３７がアンロック状態に切り換わるのをより一層確実に防ぐことができる。しかも、ロック部材４５のアンロック状態Ｙへの変更は、阻止用操作具４１を押圧操作しながらロック用操作具４０を操作すればよく、比較的簡単に回転ロック機構３７をアンロック状態に切り換えることができる。
【００４２】
また、ロック部材４５をロック状態Ｘに戻せば、阻止バネ７７の付勢によって阻止部材６８を阻止位置Ａに自動的に戻すことができるため、阻止部材６８を手動で阻止位置Ａに戻す手間が省けるし、阻止部材６８を阻止位置Ａに戻すのを忘れる心配も無くなり、非常に便利である。
なお、前記実施形態では、本発明のシートベルト巻取装置１８を自転車に取り付けられる自転車用子供座席１に装着しているが、これに代え、シートベルト巻取装置１８を自動車の座席に取り付けられるチャイルドシートに装着するようにしてもよい。
【００４３】
また、前記実施形態では、回転ロック機構３７は、巻取用回転体３０に設けたロック用歯車４３と、巻取用回転体３０の回転を不能にすべくロック用歯車４３に係脱自在に係合するロック爪４４と、ロック爪４４をロック用歯車４３に係合した状態にロックするロック部材４５とを有しているが、回転ロック機構３７はこのような構成のものに限定されず、例えば、回転ロック機構３７に、巻取用回転体３０に接離移動自在に圧接するブレーキシューを設け、このブレーキシューを巻取用回転体３０に圧接した状態にロックするロック状態と、ブレーキシューを巻取用回転体３０から離間させるアンロック状態とに変更自在となるように構成してもよい。
【００４４】
また、前記実施形態では、阻止部材６８を阻止位置Ａに付勢する阻止バネ７７を設けているが、これに代え、阻止バネ７７を省略して阻止部材６８を、ロック部材４５のアンロック状態Ｙへの変更を阻止する阻止位置Ａと、ロック部材４５のアンロック状態Ｙへの変更を許容する許容位置Ｂとに回動操作又は往復移動操作によってそれぞれ位置決め固定できるようにしてもよい。
【符号の説明】
【００４５】
１７    シートベルト
１８    シートベルト巻取装置
１９    基部ベルト体
２０    分岐ベルト体
２９    巻取ケース
３０    巻取用回転体
３４    巻取バネ
３７    回転ロック機構
３８    阻止機構
４０    ロック用操作具
４１    阻止用操作具
４１ａ  押圧ボタン
４３    ロック用歯車
４４    ロック爪
４５    ロック部材
４７    爪構成部材
６３    係止部
６４    保持凹部
６６    ロック解除バネ
６８    阻止部材
７７    阻止バネ
Ｘ１    ロック姿勢
Ｙ１    アンロック姿勢
Ｘ２    接近位置
Ｙ２    離間位置
Ｘ      ロック状態
Ｙ      アンロック状態
Ａ      阻止位置
Ｂ      許容位置
【図１】
2015125257.tif 000003
【図２】
2015125257.tif 000004
【図３】
2015125257.tif 000005
【図４】
2015125257.tif 000006
【図５】
2015125257.tif 000007
【図６】
2015125257.tif 000008
【図７】
2015125257.tif 000009
【図８】
2015125257.tif 000010
【図９】
2015125257.tif 000011
【国際調査報告】
2015125257.tif 000012
2015125257.tif 000013